Podtech/llm-jp-corpus-v4-ja_patent huggingface dataset:
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
フォン・ビルブラント因子（ＶＷＦ）Ｄ’Ｄ３ドメインに対する単離された単一ドメイン抗体（ｓｄＡｂ）。
【請求項２】
前記ｓｄＡｂが、配列番号１として示す配列を有するＣＤＲ１、配列番号２として示す配列を有するＣＤＲ２、及び配列番号３として示す配列を有するＣＤＲ３を含む、請求項１記載の単離された単一ドメイン抗体。
【請求項３】
前記ｓｄＡｂが、ＫＢ−ＶＷＦ−０１３（配列番号４）である、請求項１又は２記載の単離された単一ドメイン抗体。
【請求項４】
前記ｓｄＡｂが、配列番号５として示す配列を有するＣＤＲ１、配列番号６として示す配列を有するＣＤＲ２、及び配列番号７として示す配列を有するＣＤＲ３を含む、請求項１記載の単離された単一ドメイン抗体。
【請求項５】
前記ｓｄＡｂが、ＫＢ−ＶＷＦ−００８（配列番号８）である、請求項１又は４記載の単離された単一ドメイン抗体。
【請求項６】
前記ｓｄＡｂが、配列番号９として示す配列を有するＣＤＲ１、配列番号１０として示す配列を有するＣＤＲ２、及び配列番号１１として示す配列を有するＣＤＲ３を含む、請求項１記載の単離された単一ドメイン抗体。
【請求項７】
前記ｓｄＡｂが、ＫＢ−ＶＷＦ−０１１（配列番号１２）である、請求項１又は６記載の単離された単一ドメイン抗体。
【請求項８】
ポリペプチド及び少なくとも１つの請求項１〜７のいずれか一項記載の単離されたｓｄＡｂを含む、キメラポリペプチド。
【請求項９】
前記キメラポリペプチドが、野生型ポリペプチドとの比較で、ＶＷＦについての増加した親和性及び／又は低下した解離速度定数を有する、請求項８記載のキメラポリペプチド。
【請求項１０】
前記ポリペプチドが、ＦＶＩＩ、ＦＶＩＩＩ、プロテインＣ、及びプロテインＳからなる群より選択される凝固因子である、請求項８又は９記載のキメラポリペプチド。
【請求項１１】
前記ｓｄＡｂが、治療用ポリペプチドのＮ末端に、Ｃ末端に、若しくはＮ末端及びＣ末端の両方に融合されるか、又は治療用ポリペプチドの配列内に挿入される、請求項８記載のキメラポリペプチド。
【請求項１２】
ＶＷＦに対する２つ、３つ、４つ、又は５つのｓｄＡｂを含む、請求項８〜１１のいずれか一項記載のキメラポリペプチド。
【請求項１３】
ＶＷＦに対する２つのｓｄＡｂが、ｉ）ＶＩＩＩ因子のＢドメインのＣ末端部分を置換している（ＦＶＩＩＩ−ＫＢ１３−ｂｖ）（配列番号１３；配列番号１６；若しくは配列番号１７）；ｉｉ）ＦＶＩＩＩのＣ末端に融合されている（配列番号１８；若しくは配列番号１９）；ｉｉｉ）同時に、ＶＩＩＩ因子のＢドメインのＣ末端部分を置換し、ＶＩＩＩ因子のＣ末端に融合されている（配列番号２０；配列番号２１；配列番号２２；若しくは配列番号２３）；又はｉｖ）ＶＩＩ因子のＣ末端に挿入されている（配列番号１４）、請求項８又は１２記載のキメラポリペプチド。
【請求項１４】
前記ポリペプチドが、第１の抗原に対する少なくとも１つの単一ドメイン抗体及び第２の抗原に対する少なくとも１つのさらなる結合部位を含む、請求項８〜１３のいずれか一項記載のキメラポリペプチド。
【請求項１５】
キメラポリペプチドが、請求項８〜１４のいずれか一項記載のキメラポリペプチドであり、ＶＷＦが、延長された半減期を伴うＶＷＦポリペプチドである、キメラポリペプチド／ＶＷＦ複合体。
【請求項１６】
請求項８〜１４のいずれか一項記載のキメラポリペプチド又は請求項１５記載のキメラポリペプチド／ＶＷＦ複合体を含む、医薬組成物。
【請求項１７】
請求項１〜７のいずれか一項記載のＶＷＦ  Ｄ’Ｄ３ドメインに対する単離されたｓｄＡｂ、請求項８〜１４のいずれか一項記載のキメラポリペプチド、又は請求項１５記載のキメラポリペプチド／ＶＷＦ複合体を含む、医薬。
【請求項１８】
請求項１〜７のいずれか一項記載のＶＷＦ  Ｄ’Ｄ３ドメインに対する単離されたｓｄＡｂ、請求項８〜１４のいずれか一項記載のキメラポリペプチド、又は請求項１５記載のキメラポリペプチド／ＶＷＦ複合体を含む、出血障害を予防又は治療するための医薬組成物。
【請求項１９】
請求項８〜１４のいずれか一項記載のキメラポリペプチド又は請求項１５記載のキメラポリペプチド／ＶＷＦ複合体を含む、出血障害を予防又は治療するための医薬組成物。
【請求項２０】
前記出血障害が、血友病Ａ又は血友病Ｂである、請求項１８又は１９記載の医薬組成物。
【請求項２１】
治療用ポリペプチドのポリペプチド配列に、ＶＷＦ  Ｄ’Ｄ３ドメインに対する少なくとも１つのｓｄＡｂをエキソビボで加える工程を含む、該治療用ポリペプチドの半減期を延長又は増加させる方法。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
磁気共鳴イメージング（ＭＲＩ）システムを用いて磁気共鳴データを取得する方法において、
（ａ）前記ＭＲＩシステムを用いてパルスシーケンスを実行するステップと、
ここで前記パルスシーケンスは、
第１スライス内のスピンを励起する第１無線周波数（ＲＦ）励起パルスと、
第１軸に沿って生成されるとともに、前記第１スライス内の前記スピンのスライスエンコードを提供するために前記第１ＲＦ励起パルスと同時に生成される第１スライスエンコード傾斜磁場と、
前記第１スライスに直交する第２スライス内のスピンを励起する第２ＲＦ励起パルスと、
前記第１軸に直交する第２軸に沿って生成されるとともに、前記第２スライス内の前記スピンのスライスエンコードを提供するために前記第２ＲＦ励起パルスと同時に生成される第２スライスエンコード傾斜磁場と、
前記第２スライス内のスピンの位相エンコードを提供するために前記第１軸に沿って生成される第１位相エンコード傾斜磁場と、
前記第１スライス内のスピンの位相エンコードを提供するために前記第２軸に沿って生成される第２位相エンコード傾斜磁場と、
前記第１軸及び前記第２軸に直交する第３軸に沿って生成されるとともに、前記第１スライス内のスピンに関連する第１エコー信号を第１エコー時間で形成し、前記第２スライス内のスピンに関連する第２エコー信号を第２エコー時間で形成する周波数エンコード傾斜磁場と、を含み、
（ｂ）前記ＭＲＩシステムを用いて、前記第１エコー信号から、前記第１スライスに関連する第１データを取得するステップと、
（ｃ）前記ＭＲＩシステムを用いて、前記第２エコー信号から、前記第２スライスに関連する第２データを取得するステップと、を含む
ことを特徴とする方法。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
患者監視システムであって、当該患者監視システムは、
治療を受けている患者に光のパターンを投影するように動作可能なプロジェクタと、
前記患者及び患者拘束具の画像を得るように動作可能なカメラシステムと、
該カメラシステムによって得た画像を処理して、該画像に現れる患者の一部の表面のモデルを生成するように動作可能なモデル生成モジュールと、を含んでおり、
前記患者拘束具は、治療装置に対して患者を拘束するように動作可能であり、
前記患者拘束具の少なくとも一部は、前記プロジェクタによって前記患者拘束具の表面に投影された投影光のパターンが、前記患者拘束具に対応する取得した前記画像の部分において外見上容易に分からないように実質的に吸収されるように着色される、
患者監視システム。
【請求項２】
カメラシステムが立体カメラシステムを含み、前記プロジェクタは、監視される患者の表面に擬似ランダムパターンの光を投影するように動作可能なスペックル・プロジェクタを含む、請求項１に記載の患者監視システム。
【請求項３】
前記患者拘束具の構造は、前記カメラシステムによって得られた前記患者拘束具の画像に現れる前記患者拘束具の孔及び穿孔が、立体画像の対応する部分を識別するために、前記モデル生成モジュールによって利用される前記患者拘束具に投影される光のパターンの部分とは異なるサイズとなるような構造である、請求項２に記載の患者監視システム。
【請求項４】
前記プロジェクタは、治療を受ける患者に立体照明を投影するように動作可能なプロジェクタを含む、請求項１に記載の患者監視システム。
【請求項５】
患者監視システムであって、当該患者監視システムは、
治療を受けている患者に光のパターンを投影するように動作可能なプロジェクタと、
前記患者及び患者拘束具の画像を得るように動作可能なカメラシステムと、
該カメラシステムによって得た画像を処理して、該画像に現れる患者の一部の表面のモデルを生成するように動作可能なモデル生成モジュールと、を含んでおり、
前記患者拘束具は、治療装置に対して患者を拘束するように動作可能であり、
前記患者拘束具の少なくとも一部は着色されており、
前記モデル生成モジュールは、前記カメラシステムによって得た画像を処理して、着色された前記患者拘束具の色に対応する前記画像の部分を識別し、着色された前記患者拘束具の色に対応する前記画像の前記識別された部分の利用を回避して、前記画像に現れる前記患者の一部の前記表面のモデルを生成するように動作可能である、
患者監視システム。
【請求項６】
前記モデル生成モジュールは、
前記カメラシステムによって得た画像を処理して、該画像に現れる患者の一部の表面のモデルを生成し、
更なる画像を処理して、前記患者の一部の生成されたモデルをテクスチャ・レンダリングし、
前記生成されたモデルの、前記患者拘束具の色に対応する色でテクスチャ・レンダリングされていない部分に基づいて、前記患者の位置を監視するように動作可能である、請求項５に記載の患者監視システム。
【請求項７】
当該患者監視システムは、
前記生成されたモデルの、前記患者拘束具の色に対応する色でテクスチャ・レンダリングされていない部分を、患者の表面の格納されたモデルと比較し、
前記生成されたモデルの前記部分と前記格納されたモデルとを一致させるための位置付け命令を生成するように動作可能である、請求項６に記載の患者監視システム。
【請求項８】
前記患者拘束具の前記着色された部分はパターン化され、当該患者監視システムは、生成されたモデルの、前記患者拘束具の前記着色された部分に現れるパターンに対応するパターンでテクスチャ・レンダリングされた部分を識別するように構成される、請求項６に記載の患者監視システム。
【請求項９】
前記患者拘束具の前記着色された部分は、前記患者拘束具の開口部の周りの境界線となり、当該患者監視システムは、前記生成されたモデルの、前記着色された境界線に対応する色でテクスチャ・レンダリングされたモデルのセクション内に含まれる部分に基づいて、患者の位置を監視するように構成される、請求項６に記載の患者監視システム。
【請求項１０】
前記患者拘束具の前記着色された部分は黒く着色される、請求項１乃至９のいずれか一項に記載の患者監視システム。
【請求項１１】
前記患者拘束具の着色された部分は熱可塑性材料を含む、請求項１乃至１０のいずれか一項に記載の患者監視システム。
【請求項１２】
前記患者拘束具の表面が低い反射率を有する、請求項１乃至１１のいずれか一項に記載の患者監視システム。
【請求項１３】
前記患者拘束具は、頭部マスクを含む、請求項１乃至１２のいずれか一項に記載の患者監視システム。
【請求項１４】
請求項１乃至１３のいずれか一項に記載の前記患者監視システムで使用するための頭部マスク。
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
透明なポリマー基材層と、
前記透明なポリマー基材層上に配置された透明な脂肪族架橋ポリウレタン層と、
を含むディスプレイフィルムであって、前記透明な脂肪族架橋ポリウレタン層は、１１〜２７℃の範囲のガラス転移温度及び０．５〜２．５の範囲の誘電正接ピーク値を有し、
前記ディスプレイフィルムは、１％以下のヘイズ値を有する、ディスプレイフィルム。
【請求項２】
透明なポリマー基材層と、
前記透明なポリマー基材層上に配置された透明な脂肪族架橋ポリウレタン層と、
を含むディスプレイフィルムであって、前記透明な脂肪族架橋ポリウレタン層は、１１〜２７℃の範囲のガラス転移温度及び０．５〜２．５の範囲の誘電正接ピーク値を有し、
前記ディスプレイフィルムは、約３ｍｍの半径での少なくとも１００，０００回の曲げサイクルの後に無傷である、ディスプレイフィルム。
【請求項３】
光学ディスプレイと、
前記光学ディスプレイ上に配置された保護フィルムであって、前記保護フィルムは、
透明なポリマー基材層、
前記透明なポリマー基材層上に配置された透明な脂肪族架橋ポリウレタン層
を含み、前記透明な脂肪族架橋ポリウレタン層は、１１〜２７℃の範囲のガラス転移温度及び０．５〜２．５の範囲の誘電正接ピーク値及び０．３４〜０．６５ｍｏｌ／ｋｇの範囲の架橋密度を有し、
前記ディスプレイフィルムは、１％以下のヘイズ値を有する、保護フィルムと、
前記透明なポリマー基材層を前記光学ディスプレイに固定する光学接着剤層と、
を備える物品。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
患者の多数の歯に各々対応する受け部を有する凹状の溝であって、前記溝は、前記患者の歯のうちの１本を第１の位置から第２の位置へ再配置するように構成された少なくとも１つの受け部を有する、凹状の溝と、
結合基部及び本体を有する第１のアンカーと、
結合基部及び本体を有する第２のアンカーと、
前記第１のアンカー及び前記第２のアンカーに離脱可能に連結されたアーチ部材と、
を備える歯科矯正装置であって、
前記凹状の溝は、前記アンカーの少なくとも一部分を少なくとも部分的に被覆し、これと係合する表面を有する受け部を含む、
歯科矯正装置。
【請求項２】
前記アーチ部材がアーチワイヤ又はばねである、請求項１に記載の歯科矯正装置。
【請求項３】
前記アーチ部材が、前記アーチ部材の長さに沿って変化する断面幾何形状を含む、請求項１に記載の歯科矯正装置。
【請求項４】
前記凹状の溝が前記第１のアンカーに取り外し可能に連結されている、請求項１に記載の歯科矯正装置。
【請求項５】
前記凹状の溝が前記第２のアンカーに直接連結されていない、請求項１に記載の歯科矯正装置。
【請求項６】
前記第１のアンカー及び前記第２のアンカーが各々、前記本体を横切って延在するスロットを含み、各アンカーが、前記アーチ部材を前記対応するスロット内に保持するために位置付けられたラッチを含む、請求項１に記載の歯科矯正装置。
【請求項７】
前記第１のアンカーを被覆する前記受け部が前記第１のアンカーの少なくとも顔面側表面と係合する、請求項１に記載の歯科矯正装置。
【請求項８】
第３のアンカーと第４のアンカーとを更に備え、前記第３のアンカー及び前記第４のアンカーは、前記装置が歯列弓上に設置されている時には、前記第１のアンカー及び前記第２のアンカーとは異なる前記歯列弓の象限内の歯群に結合されている、請求項１に記載の歯科矯正装置。
【請求項９】
歯列弓上に設置されている時には、前記凹状の溝が前記多数の歯の咬合面を覆う、請求項１に記載の歯科矯正装置。
【請求項１０】
患者の歯列弓のための歯科矯正アセンブリであって、
患者の多数の歯に各々対応する受け部を有するトレイであって、前記患者の歯のうちの１本を第１の位置から第２の位置へ再配置するように構成された少なくとも１つの受け部を有する、トレイと、
結合基部及び本体を有し、前記本体がその正面を横切って延在する第１のスロットを含む、第１のアンカーと、
結合基部及び本体を有し、前記本体がその正面を横切って延在する第２のスロットを含む、第２のアンカーと、
前記第１のスロット及び前記第２のスロット内に受け入れられたアーチ部材と、
を備え、
前記トレイは、前記第１のアンカーの少なくとも一部分に取り外し可能に連結され、これを少なくとも部分的に被覆する受け部を含む、歯科矯正アセンブリ。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
呼吸器マスク（１０）とともに使用されるフェイスシール（１２）であって、
一体型ストラップ（１４）と、
バックル（１６）と、を備え、前記一体型ストラップ（１４）は前記バックル（１６）の少なくとも一部分上にオーバーモールドされている、フェイスシール（１２）。
【請求項２】
前記バックル（１６）は本体部分（３８）とヘッド部分（３６）とを含み、前記本体部分（３８）は前記一体型ストラップ（１４）の中にある、請求項１に記載のフェイスシール（１２）。
【請求項３】
前記本体部分（３８）は、少なくとも１つの開口（４４）と、第１の少なくとも実質的に平坦な表面（５０）と、前記第１の少なくとも実質的に平坦な表面（５０）とは反対側を向いた第２の少なくとも実質的に平坦な表面（５２）と、を含み、前記少なくとも１つの開口（４４）は、前記第１の少なくとも実質的に平坦な表面（５０）と前記第２の少なくとも実質的に平坦な表面（５２）との間に延びている、請求項２に記載のフェイスシール（１２）。
【請求項４】
前記一体型ストラップ（１４）は第１の材料から成っており、前記バックル（１６）は第２の材料から成っており、前記第１の材料は前記第２の材料上に、前記第１の材料が前記少なくとも１つの開口（４４）を通って延びるようにオーバーモールドされている、請求項３に記載のフェイスシール（１２）。
【請求項５】
本体（１８）と、
前記本体（１８）に結合されたフェイスシール（１２）と、を備える呼吸器マスク（１０）であって、
前記フェイス（１２）シールは、
少なくとも１つの一体型ストラップ（１４）と、
少なくとも１つのバックル（１６）と、を含み、前記少なくとも１つの一体型ストラップ（１４）は、前記少なくとも１つのバックル（１６）のうちの対応する１つの少なくとも一部分上にオーバーモールドされている、呼吸器マスク（１０）。
【請求項６】
前記少なくとも１つのバックル（１６）は本体部分（３８）とヘッド部分（３６）とを含み、前記少なくとも１つの一体型ストラップ（１４）は、前記少なくとも１つのバックル（１６）のうちの前記対応する１つの前記本体部分（３８）上にオーバーモールドされている、請求項５に記載の呼吸器マスク（１０）。
【請求項７】
前記本体部分（３８）は少なくとも１つの開口（４４）を含む、請求項６に記載の呼吸器マスク（１０）。
【請求項８】
前記本体部分（３８）は、
第１の少なくとも実質的に平坦な表面（５０）及び前記第１の少なくとも実質的に平坦な表面（５０）とは反対側を向いた第２の少なくとも実質的に平坦な表面（５２）と、
第１の側面（５４）及び前記第１の側面（５４）とは反対側を向いた第２の側面（５６）と、を含み、前記第１の側面（５４）及び前記第２の側面（５６）は、前記第１の少なくとも実質的に平坦な表面（５０）と前記第２の少なくとも実質的に平坦な表面（５２）との間にある、請求項６に記載の呼吸器マスク（１０）。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
ディスプレイを備えるユーザインターフェースと、
前記ユーザインターフェースに通信可能に結合され、プローブに通信可能に結合されるプロセッサと、
前記プロセッサに通信可能に結合され、超音波画像を表示するためのプロセッサ実行可能な命令を含むメモリであって、前記プロセッサ実行可能な命令は、
第１の複数の超音波画像のうちの１つの第１の画像フレームを前記ディスプレイに表示する命令であって、前記第１の複数の超音波画像の各々は、対応するプローブ位置情報とともに記憶され、前記第１の画像フレームは第１の位置情報に関連付けられ、前記プローブ位置情報は、対象者に対する前記プローブの空間的ロケーションに対応する、命令と、
直交ビューを検索するユーザ入力を受信する命令と、
前記第１の位置情報を第２の複数の超音波画像とともに記憶された位置情報と比較し、前記第１の位置情報に対して最も直交に近い位置情報に関連付けられた前記第２の複数の超音波画像における１つ又は複数の画像フレームを特定する命令と、
前記１つ又は複数の画像フレームの各々の画像表現を候補直交ビューとして表示する命令と
を含む、メモリと
を備える、超音波撮像システム。
【請求項２】
前記１つ又は複数の画像フレームの各々の画像表現を候補直交ビューとして表示する前記命令は、前記１つ又は複数の画像フレームの各々の低品質の画像を表示する命令を含む、請求項１に記載の超音波撮像システム。
【請求項３】
前記メモリは、前記第１の画像フレームを表示する前に、前記第１の複数の超音波画像のファイルを空間的に順番に配置する命令を更に含む、請求項１に記載の超音波撮像システム。
【請求項４】
前記メモリは、
関心領域の指標を受信する命令と、
前記関心領域を中心とする画像に対応するプローブ空間的ロケーションを決定する命令と、
前記第１の位置情報を、前記関心領域を中心とする画像に対応する前記プローブ空間的ロケーションとして設定する命令と
を更に含む、請求項１に記載の超音波撮像システム。
【請求項５】
前記メモリは、前記ユーザインターフェースが、前記候補直交ビューのうちの１つの選択を受信し、前記候補直交ビューのうちの選択された前記１つを第２の画像フレームとして前記第１の画像フレームと隣り合わせの配置で表示することを可能にする命令を更に含む、請求項１に記載の超音波撮像システム。
【請求項６】
前記メモリは、
前記第１及び第２の画像フレームにおける関心領域の第１及び第２の幅の指標をそれぞれ受信する命令と、
前記第１の幅によって定められる領域内でのみ前記第１の画像フレームのビュー平面と交差する、前記第２の複数の超音波画像からの画像の第１のサブセットを決定する命令と、
前記第２の幅によって定められる領域内でのみ前記第２の画像フレームのビュー平面と交差する、前記第１の複数の超音波画像からの画像の第２のサブセットを決定する命令と、
前記第１及び前記第２のサブセットに含まれていない前記第１及び第２の複数の超音波画像から１つ又は複数の画像を削除する命令と
を更に含む、請求項１に記載の超音波撮像システム。
【請求項７】
前記プロセッサは更に、取得された超音波画像の個々のフレームを、それぞれのフレームの取得中のプローブの位置に対応する位置情報に関連付け、前記超音波画像を関連付けられた前記位置情報とともに、前記メモリ内に記憶する、請求項１に記載の超音波撮像システム。
【請求項８】
位置追跡システムに動作可能に関連付けられたプローブを更に備え、前記プロセッサは更に、前記位置追跡システムに関係して対象者の１つ又は複数の解剖学的ランドマークをレジストレーションする、請求項１に記載の超音波撮像システム。
【請求項９】
前記プロセッサは、第１の向きにおいて前記プローブによって取得された画像を前記第１の複数の超音波画像として記憶させ、傾いた向きにおいて前記プローブによって取得された画像を前記第２の複数の超音波画像として記憶させる、請求項８に記載の超音波撮像システム。
【請求項１０】
超音波画像を表示するためのプロセッサ実行可能な命令を含む非一時的コンピュータ可読媒体であって、前記プロセッサ実行可能な命令は、
第１の複数の超音波画像のうちの１つの第１の画像フレームを表示する命令であって、前記第１の複数の超音波画像の各々は、対応するプローブ位置情報とともに記憶され、前記超音波画像の前記第１の画像フレームは第１の位置情報に関連付けられ、前記プローブ位置情報は、対象者に対するプローブの空間的ロケーションに対応する、命令と、
直交ビューを検索するユーザ入力を受信する命令と、
前記第１の位置情報を第２の複数の超音波画像とともに記憶された位置情報と比較し、前記第１の位置情報に対して最も直交に近い位置情報に関連付けられた前記第２の複数の超音波画像における１つ又は複数の画像フレームを特定する命令と、
前記１つ又は複数の画像フレームの各々の画像表現を候補直交ビューとして表示する命令と
を含む、非一時的コンピュータ可読媒体。
【請求項１１】
前記１つ又は複数の画像フレームの各々の画像表現を候補直交ビューとして表示する前記命令は、前記１つ又は複数の画像フレームの各々の低品質の画像を表示する命令を含む、請求項１０に記載の非一時的コンピュータ可読媒体。
【請求項１２】
前記第１の画像フレームを表示する前に、前記第１の複数の超音波画像のファイルを空間的に順番に配置する命令を更に含む、請求項１０に記載の非一時的コンピュータ可読媒体。
【請求項１３】
関心領域の指標を受信する命令と、
前記関心領域を中心とする画像に対応するプローブ空間的ロケーションを決定する命令と、
前記第１の位置情報を、前記関心領域を中心とする画像に対応する前記プローブ空間的ロケーションとして設定する命令と
を更に含む、請求項１０に記載の非一時的コンピュータ可読媒体。
【請求項１４】
前記候補直交ビューのうちの１つの選択を受信し、前記候補直交ビューのうちの選択された前記１つを第２の画像フレームとして前記第１の画像フレームと隣り合わせの配置で表示する命令を更に含む、請求項１０に記載の非一時的コンピュータ可読媒体。
【請求項１５】
前記第１及び第２の画像フレームにおける関心領域の第１及び第２の幅の指標をそれぞれ受信する命令と、
前記第１の幅によって定められる領域内でのみ前記第１の画像フレームのビュー平面と交差する、前記第２の複数の超音波画像からの画像の第１のサブセットを決定する命令と、
前記第２の幅によって定められる領域内でのみ前記第２の画像フレームのビュー平面と交差する、前記第１の複数の超音波画像からの画像の第２のサブセットを決定する命令と、
前記第１及び前記第２のサブセットに含まれていない前記第１及び第２の複数の超音波画像から１つ又は複数の画像を削除する命令と
を更に含む、請求項１０に記載の非一時的コンピュータ可読媒体。
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
生体組織の開口を閉塞する装置であって、
形状記憶合金のメッシュで形成され、カテーテル内から前記開口に送られるよう圧縮可能な細長弾性管を備え、当該管は前記カテーテルから排出されると自動展開して、
外部湾曲構造と、
前記外部湾曲構造内に配置され、前記外部湾曲構造の内側に適合して係合する内部湾曲構造と、
前記内部湾曲構造よりも実質的に小さい直径を有し、前記内部湾曲構造の頂点から離間する方向に延在する管状コネクタと、
内部プレート形状構造と、
外部プレート形状構造と、
着脱可能コネクタとが連続的に順次形成される、装置。
【請求項２】
前記形状記憶合金はニチノールである、請求項１に記載の装置。
【請求項３】
前記装置の、前記カテーテルから最初に排出される先端は、閉鎖端として形成される、請求項１に記載の装置。
【請求項４】
前記形状記憶合金は編み込まれている、請求項１に記載の装置。
【請求項５】
前記カテーテルから最後に排出される、前記装置の基端は、前記着脱可能コネクタを含む閉鎖端として形成される、請求項１に記載の装置。
【請求項６】
前記外部プレート形状構造は、前記内部プレート形状構造から離間している、請求項１に記載の装置。
【請求項７】
前記メッシュは、７２および１４２打ち医療用ブレーダーの少なくとも一方による編み込みで形成される、請求項１に記載の装置。
【請求項８】
前記細長弾性管内に配置される第２細長弾性管をさらに有し、前記外部湾曲構造、内部湾曲構造、管状コネクタ、内部プレート形状構造、および外部プレート形状構造は、前記細長弾性管と前記第２細長弾性管の両方から形成される、請求項１に記載の装置。
【請求項９】
前記細長弾性管と、前記第２細長弾性管とは、それぞれ打ち数の異なる第１および第２ブレーダーで編み込まれる、請求項８に記載の装置。
【請求項１０】
前記内部湾曲構造、コネクタ、およびプレートと、前記外部湾曲構造、コネクタ、およびプレートは全て、単一の編込管から形成され、前記単一の編込管はめくられて、内外の湾曲構造、コネクタ、内外のプレート形状構造を一体的に形成する、重複するような形状のスリーブを形成する、請求項１に記載の装置。
【請求項１１】
前記管が自動展開する際に、前記内部湾曲構造と外部湾曲構造とにより釣鐘型が形成される、請求項１に記載の装置。
【請求項１２】
前記管が自動展開する際に、前記外部湾曲構造と内部湾曲構造とによりバルーン型が形成される、請求項１に記載の装置。
【請求項１３】
生体組織の開口を閉塞する装置であって、
形状記憶合金のメッシュで形成され、カテーテル内から前記開口に送られるよう圧縮可能な細長弾性管を備え、当該管は前記カテーテルから排出されると自動展開して、
外部釣鐘型構造と、
前記外部釣鐘型構造内に配置され、前記外部釣鐘型構造の内側に適合して係合する内部釣鐘型構造と、
前記内部釣鐘型構造よりも実質的に小さい直径を有し、前記内部釣鐘型構造の頂点から離間する方向に延在する管状コネクタと、
内部プレート形状構造と、
外部プレート形状構造と、
着脱可能コネクタとが連続的に順次形成される、装置。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
正常な状態において呼吸している生物（１２）に、少なくとも補助的に人工呼吸を行うための人工呼吸器（１０）であって、
−呼吸ガス容器に接続するための接続構造、
−前記人工呼吸器（１０）の吸気動作の際には、新鮮な吸気呼吸ガスを、前記接続構造から患者インターフェース（３１）に向かって誘導し、呼気動作の際には、代謝された呼気呼吸ガスを、前記患者インターフェース（３１）から離れるように誘導する呼吸ガス誘導アセンブリ（３０）、
−前記呼吸ガス誘導アセンブリ（３０）内で呼吸ガスの圧力を変更するための圧力変更アセンブリ（１６）、
−前記呼吸ガス誘導アセンブリ（３０）内の、少なくとも呼気呼吸ガスの呼吸ガス体積フローを示すフロー信号（５０；１５０）を供給するように構成され、配置されたフローセンサ（４４）、及び、
−前記人工呼吸器（１０）の動作を制御する制御装置（１８）であって、時間的に連続して供給されたフロー信号を表しているフロー信号推移（５０；１５０）の勾配の増大が、勾配変化閾値（５８；１５８）を超える場合に、前記人工呼吸器（１０）の呼気動作から吸気動作への移行をトリガーするように構成された制御装置（１８）、
を含んでいる人工呼吸器において、
前記制御装置（１８）がさらに、前記勾配変化閾値（５８；１５８）を、人工呼吸されるべき患者（１２）それぞれの呼気時定数に応じて算出し、前記フロー信号推移（５０；１５０）の勾配の増大が、前記呼気時定数に基づいて算出された勾配変化閾値（５８；１５８）を超える場合に、前記人工呼吸器（１０）の呼気動作から吸気動作への移行をトリガーするように構成されていることを特徴とする人工呼吸器（１０）。
【請求項２】
前記制御装置（１８）が、前記勾配変化閾値（５８；１５８）の値を、前記呼気時定数の増加に伴って減少させるように、又は、逆にするように構成されていることを特徴とする、請求項１に記載の人工呼吸器（１０）。
【請求項３】
前記制御装置（１８）が、前記呼気時定数を、それぞれの人工呼吸の適用において算出するように構成されていることを特徴とする、請求項１又は２に記載の人工呼吸器（１０）。
【請求項４】
前記制御装置（１８）が、前記呼気時定数を呼吸ごとに算出するように構成されていることを特徴とする、請求項３に記載の人工呼吸器（１０）。
【請求項５】
前記制御装置（１８）が、前記呼気時定数を、吐出される体積と、呼気プロセスの間に生じる最大の呼気体積流量との比に基づいて、及び／又は、呼吸の際に生じるレジスタンスとコンプライアンスとに基づいて算出するように構成されていることを特徴とする、請求項３又は４に記載の人工呼吸器（１０）。
【請求項６】
前記制御装置（１８）が、前記呼気時定数を、吐出される体積と、呼気プロセスの間に生じる最大の呼気体積流量との比に基づいて、反復数詞的に、及び／又は、呼吸の際に生じるレジスタンスとコンプライアンスとに基づいて算出するように構成されていることを特徴とする、請求項３又は４に記載の人工呼吸器（１０）。
【請求項７】
前記制御装置（１８）によって少なくとも読むことができるデータ記憶装置を有しており、前記データ記憶装置には、前記勾配変化閾値（５８；１５８）の値と前記呼気時定数との間の関係、又は、前記勾配変化閾値（５８；１５８）の値の変化値と前記呼気時定数との間の関係が保存されていることを特徴とする、請求項１から６のいずれか一項に記載の人工呼吸器（１０）。
【請求項８】
前記データ記憶装置には、前記勾配変化閾値（５８；１５８）の値と前記呼気時定数との間の関数関係、又は、前記勾配変化閾値（５８；１５８）の値の変化値と前記呼気時定数との間の関数関係が保存されており、前記制御装置（１８）は、適用されるべき勾配変化閾値（５８；１５８）を、前記呼気時定数から出発して、前記関数関係を用いて算出するように構成されていることを特徴とする、請求項７に記載の人工呼吸器（１０）。
【請求項９】
前記制御装置（１８）が、前記フローセンサ（４４）によって供給されたフロー信号（５０；１５０）を、平滑化するように構成されていることを特徴とする、請求項１から８のいずれか一項に記載の人工呼吸器（１０）。
【請求項１０】
前記制御装置（１８）が、前記フローセンサ（４４）によって供給されたフロー信号（５０；１５０）を、低域フィルタリング又は移動平均の形成によって平滑化するように構成されていることを特徴とする、請求項９に記載の人工呼吸器（１０）。
【請求項１１】
前記制御装置（１８）が、前記人工呼吸器（１０）の呼気動作から吸気動作への移行を、所定の特徴的な事象の後で、所定の時間的間隔（６０；１６０）が経過する前にはトリガーしないように構成されていることを特徴とする、請求項１から１０のいずれか一項に記載の人工呼吸器（１０）。
【請求項１２】
前記所定の特徴的な事象が、呼気動作の開始又は前記フロー信号（５０；１５０）の基準水準の通過であることを特徴とする、請求項１１に記載の人工呼吸器（１０）。
【請求項１３】
前記制御装置（１８）が、前記所定の時間的間隔（６０；１６０）を、前記呼気時定数に基づいて算出するように構成されていることを特徴とする、請求項１１または１２に記載の人工呼吸器（１０）。
【手続補正書】
【提出日】令和2年3月27日(2020.3.27)
【手続補正１】
【補正対象書類名】明細書
【補正対象項目名】００１９
【補正方法】変更
【補正の内容】
【００１９】
【図１】本発明の第１の好ましい実施形態の上面図である。
【図２】図１の実施形態の底面図である。
【図３】男性使用者の体の上に示されている本発明の立面斜視図である。
【図４】本発明の拡大斜視図である。
【図５】第１の羽根が折り畳まれた状態の本発明の立面斜視図である。
【図６】接着ストリップが除去された状態の本発明の拡大斜視図である。
【図７】所定の場所に折り曲げられた第２の羽根の斜視図である。
【図８】男性器を取り囲むように角が上に向けられている拡大斜視図である。
【図９】衣服に貼り付けられるように除去されている接着ストリップの立面斜視図である。
【図１０】下着に付着される袋状物の立面斜視図である。
【図１１】下着の中に配置されている袋状物を示す、部分的に影になっている拡大斜視図である。
【図１２】袋状物の構成にある本パッドの第１の断面図である。
【図１３】袋状物の構成にある本パッドの第２の断面図である
【図１４】本発明のパッドの他の着用方法を示す。
【図１５】本発明のパッドの他の着用方法を示す。
【図１６】本発明のパッドの他の着用方法を示す。
【図１７】本発明のパッドの他の着用方法を示す。
【図１８】本発明のパッドの他の着用方法を示す。
【図１９】本発明のパッドの他の着用方法を示す。
【図２０】本発明のパッドの他の着用方法を示す。
【図２１】本発明のパッドの他の着用方法を示す。
【図２２】本発明のパッドの他の着用方法を示す。
【図２３】本発明のパッドの他の着用方法を示す。
【図２４】本発明のパッドの他の実施形態の平面図である。
【図２５】患者の体の上にある図２４の実施形態の立面斜視図である。
【図２６】本発明のパッド装置のさらなる実施形態の平面図である。
【手続補正２】
【補正対象書類名】明細書
【補正対象項目名】００２０
【補正方法】変更
【補正の内容】
【００２０】
図１は、一般にベース部２４と第１の羽根１４および第２の羽根１６とによって形成されたパッド１２を含む本発明の第１の好ましい実施形態の平面図を示す。パッド１２は、流体不透過性外側ライニングと柔軟な流体透過性内側ライニングとの間の流体吸収材を取り囲むことによって形成されている。外側ライニングは、尿を密封して本トラップの外側への漏れを防止するためにポリエチレンフィルムまたは他の低コストの生体適合性材料で作られていてもよい。使用者の皮膚に当接する内側ライニングは、大部分がその表面に比較的流体を含有しないままでありながらも流体を透過させるポリプロピレンまたは好適な非摩耗性の非毒性材料で作られていてもよい。吸収中心部２２は木材パルプおよびポリアクリル酸ナトリウムなどの高吸水性高分子を含んでもよい。ポリアクリル酸ナトリウムは、内側ライニングを介して皮膚から流体を吸い取るのに有効であり、かつ尿をその重量の３０倍も吸い上げることができる。吸収中心部は、内側ライニングおよび外側ライニングを接着させることによってその縁部の周りで境をなし、この２つの嵌まり合うライニングおよびの一致は、変形していない条件で本パッドに丸い形状６４を与えるように構成することができる。すなわち、本パッドの縁部がベース部２４に対して持ち上げられるようなこの２つの嵌まり合う縁部の適合によって、浅い円錐形状の「ボウル」すなわち受け皿が作り出される。ベース部２４の主領域は、ほとんどの場合に尿の進入が予期される特にこの中間部分にパッドが詰められている。
【手続補正３】
【補正対象書類名】図面
【補正対象項目名】図２４
【補正方法】変更
【補正の内容】
【図２４】
2019511305.tif 000001
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
多層フルオロポリマーフィルムであって、順番に；
露出した主表面を有する第１層であって、前記第１層は第１ポリマーを含み、前記第１ポリマーが、前記第１ポリマーの総ｍｏｌ％に基づいて、少なくとも３５ｍｏｌ％のテトラフルオロエチレンコモノマー、少なくとも１５ｍｏｌ％のフッ化ビニリデンコモノマー、及び少なくとも５ｍｏｌ％のヘキサフルオロプロピレンコモノマーを含む、第１層と；
第２ポリマーを含む第２層であって、前記第２ポリマーが、前記第２ポリマーの総ｍｏｌ％に基づいて、少なくとも５０ｍｏｌ％のフッ化ビニリデンコモノマーを含む、第２層と；
第３ポリマーを含む第３層であって、前記第３ポリマーが、前記第３ポリマーの総ｍｏｌ％に基づいて、少なくとも５０ｍｏｌ％のメチルメタクリレートコモノマーを含む、第３層と；
を備える、多層フルオロポリマーフィルム。
【請求項２】
前記第１ポリマーが、前記第１ポリマーの総ｍｏｌ％に基づいて、少なくとも０．５ｍｏｌ％のパーフルオロビニルエーテルコモノマーを更に含み、
前記第２ポリマーが、前記第２ポリマーの総ｍｏｌ％に基づいて、少なくとも１ｍｏｌ％のパーフルオロビニルエーテルコモノマーを更に含み、且つ
前記第２ポリマーが、前記第２ポリマーの総ｍｏｌ％に基づいて、少なくとも０．５ｍｏｌ％のヘキサフルオロプロピレンコモノマーを更に含む、請求項１に記載の多層フルオロポリマーフィルム。
【請求項３】
前記第２又は第３層のうちの少なくとも１つが、それぞれ、前記第２又は第３層の総重量に基づいて、少なくとも０．１重量％の紫外線吸収剤を更に含む、請求項１又は２に記載の多層フルオロポリマーフィルム。
【請求項４】
前記第２又は第３層のうちの少なくとも１つが、それぞれ、前記第２又は第３層の総重量に基づいて、少なくとも０．０５重量％のヒンダードアミン系光安定剤を更に含む、請求項１〜３のいずれか一項に記載の多層フルオロポリマーフィルム。
【請求項５】
前記多層フルオロポリマーフィルムが、共押出フィルムである、請求項１〜４のいずれか一項に記載の多層フルオロポリマーフィルム。
【請求項６】
請求項１〜５のいずれか一項に記載の多層フルオロポリマーフィルムのロール。
【請求項７】
剥離ライナーを含まない、請求項６に記載のロール。
【請求項８】
順番に；
請求項１〜７のいずれか一項に記載の多層フルオロポリマーフィルムと；
第１及び第２の対向する主表面を有する多層光学フィルムと、を含む、多層光学フィルムであって、
前記多層フルオロポリマーフィルムの前記第３層が、前記多層光学フィルムの前記第１主表面に隣接している、多層光学フィルム。
【請求項９】
第１及び第２の、請求項１〜７のいずれか一項に記載の多層フルオロポリマーフィルムを含む多層光学フィルムであって、順番が、
前記第１多層フルオロポリマーフィルム、
第１及び第２の対向する主表面を有する多層光学フィルム、
前記第２多層フルオロポリマーフィルム、
であり、前記第１多層フルオロポリマーフィルムの前記第３層が、前記多層光学フィルムの前記第１主層に隣接しており、前記第２多層フルオロポリマーフィルムの前記第３層が、前記多層光学フィルムの前記第２主表面に隣接している、多層光学フィルム。
【請求項１０】
少なくとも１００回繰り返す一連の多層フルオロポリマーフィルムを含む多層光学フィルムであって、順番に、
第１ポリマーを含み、前記第１ポリマーは、前記第１ポリマーの総ｍｏｌ％に基づいて、少なくとも３５ｍｏｌ％のテトラフルオロエチレンコモノマー、少なくとも１５ｍｏｌ％のフッ化ビニリデンコモノマー、及び少なくとも５ｍｏｌ％のヘキサフルオロプロピレンコモノマーを含む第１光学層と、
フルオロポリマーを含み、前記フルオロポリマーは、前記フルオロポリマーの総ｍｏｌ％に基づいて、少なくとも５０ｍｏｌ％のフッ化ビニリデンコモノマーを含む第２光学層と、
第２ポリマーを含み、前記第２ポリマーは、前記第２ポリマーの総ｍｏｌ％に基づいて、少なくとも５０ｍｏｌ％のメチルメタクリレートコモノマーを含む第３光学層と、
前記第２層と同じフルオロポリマーを含む第４光学層と、
のパターンを備え、全ての前記光学ポリマー層は、０．０９〜０．４５マイクロメートルの範囲の厚さを有し、
前記第１ポリマー、前記第２ポリマー、及び前記フルオロポリマーは、異なる屈折率を有し、
前記第１層は、第１及び第２の対向する主表面を有し、前記第１層の主表面の一方が露出している、多層光学フィルム。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
側面の複数の逃げ面（４１）により互いに結合された上面（２）および底面（３）を備えた、ほゞ三角形または四角形の底面形状を有する切削インサート（１）であって、少なくとも１つの逃げ面（４１）から上面（２）への移行部に１つの切刃（５）が形成されており、この切刃（５）は複数のコーナー切刃（６）の間に延びており、さらに、この切刃（５）は逃げ面（４１）の側面図において１つの凸形部（５１）を有している切削インサートにおいて、前記切刃（５）の凸形部（５１）の両側が凹形湾曲部（５２ａ、５２ｂ）と接していることを特徴とする切削インサート。
【請求項２】
前記複数の凹形湾曲部（５２ａ、５２ｂ）がそれぞれに接するコーナー切刃（６）まで延びていることを特徴とする、請求項１に記載の切削インサート（１）。
【請求項３】
前記凸形部（５１）から前記第１の凹形湾曲部（５２ａ）への移行部および前記凸形部（５１）から前記第２の凹形湾曲部（５２ｂ）への移行部が、それぞれ接線が一致するように形成されていることを特徴とする、請求項１または２に記載の切削インサート（１）。
【請求項４】
前記複数の逃げ面（４１）から上面（２）への全ての移行部に切刃（５）が形成されていることを特徴とする、請求項１から３の少なくとも１項に記載の切削インサート（１）。
【請求項５】
前記凸形部（５１）が２つのコーナー切刃（６）間で中心を外れた位置にある、すなわち、前記凸形部（５１）の頂点（８）が、切削インサート（１）の使用時に前記切削インサート（１）の軌道を基準にして半径方向内側に在るコーナー切刃（６ａ）の方にずれている位置にある、ことを特徴とする、請求項１から４の少なくとも１項に記載の切削インサート（１）。
【請求項６】
凹形湾曲部（５２ａ、５２ｂ）の湾曲半径（Ｒ２、Ｒ３）が、凸形部（５１）の湾曲半径（Ｒ１）の３倍から６倍であることを特徴とする、請求項１から５の少なくとも１項に記載の切削インサート（１）。
【請求項７】
前記複数の切刃（５）が上面（２）の上面図において凸形形状を有していることを特徴とする、請求項１から６の少なくとも１項に記載の切削インサート（１）。
【請求項８】
前記複数の切刃（５）の前記形状が上面（２）の上面図において楕円の一部で形成されていることを特徴とする、請求項７に記載の切削インサート（１）。
【請求項９】
請求項１から８の少なくとも１項に記載の少なくとも１つの切削インサート（１）および１つの工具ホルダー（１５）を備えた構成。
【請求項１０】
前記少なくとも１つの切削インサート（１）が前記工具ホルダー（１５）に、前記凸形部（５１）が前記切削インサート（１）の軌道を基準にして半径方向内側に在るように配設されている、請求項９に記載の構成。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
身体部分の周囲の測定結果を提供するように構成される装置であって、
前記身体部分の周辺に且つ／または上に配置されるように構成される第１の弾性支持材であって、前記第１の弾性支持材は、長手方向軸を定める第１の弾性支持材長さ、垂直軸を定める第１の弾性支持材幅、および横軸を定める第１の弾性支持材厚さを有し、前記第１の弾性支持材は、浮腫および／またはリンパ浮腫を処置するための包帯または圧迫衣服である、第１の弾性支持材と、
前記長手方向軸の少なくとも一部に沿って、且つ／または前記垂直軸の少なくとも一部に沿って前記第１の弾性支持材の少なくとも一部より上に且つ／または下に位置する２つ以上の導電層であって、前記導電層は伸ばすことができる、導電層と、
前記２つ以上の導電層に電気的に接続される測定ユニットであって、前記測定ユニットは、前記２つ以上の導電層に関連する電気的特性を測定するように構成され、前記電気的特性は、前記横軸に沿って分離される２つ以上の導電層の間の伸ばすことができるフィルムの電気的な静電容量であり、前記電気的特性は前記身体部分の周囲の測定結果に関連し、前記身体部分の周囲の測定結果は、代わりに且つ／または追加として前記身体部分の周囲における変化である、測定ユニットと、
を備える、装置。
【請求項２】
前記装置は、前記２つ以上の導電層より上に且つ／または下に位置する少なくとも１つの追加層を備え、前記少なくとも１つの追加層は弾性であり、そして前記少なくとも１つの追加層は、前記第１の弾性支持材と接触するように構成され、それによって前記第１の弾性支持材と前記少なくとも１つの追加層との中間に前記２つ以上の導電層をカプセル化し、そしてそうすると、前記２つ以上の導電層の少なくとも一部は、前記第１の弾性支持材に対して且つ／または前記少なくとも１つの追加層に対して移動することが可能である、請求項１に記載の装置。
【請求項３】
前記２つ以上の導電層は、その弛緩した状態に対して少なくとも２０％伸ばすことが可能である導電層長さを有する、請求項１〜２のいずれか一項に記載の装置。
【請求項４】
前記第１の弾性支持幅は、弛緩した状態で、１ｃｍと１６ｃｍとの間にあり、そして／または前記２つ以上の導電層は、弛緩した状態で且つ垂直軸に沿って、２ｍｍと８０ｍｍとの間にある導電層幅を有する、請求項１〜３のいずれか一項に記載の装置。
【請求項５】
前記第１の弾性支持材は、その摩擦係数により規定される滑らかな表面をもって構成され、前記摩擦係数は０．２と０．４との間にあり、そして前記摩擦係数は鋼の表面に対して規定される、請求項１〜４のいずれか一項に記載の装置。
【請求項６】
前記装置は、前記身体部分の周囲の測定結果を受信ユニットおよび／または制御ユニットに送信するように構成される送信ユニットをさらに備え、随意に前記受信ユニットはデータ格納ユニットを備える、請求項１〜５のいずれか一項に記載の装置。
【請求項７】
前記装置は、前記長手方向軸に沿って前記２つ以上の導電層の長さを制御するように構成される制御ユニットを備える、請求項１〜６のいずれか一項に記載の装置。
【請求項８】
前記第１の弾性支持材は、身体部分の周辺に適合するように構成される円形バンドであり、そして／または前記第１の弾性支持材は、前記身体部分と接触する第２の弾性支持材の周辺に且つ／または上に配置されるように構成される、請求項１〜８のいずれか一項に記載の装置。
【請求項９】
前記装置は、前記２つ以上の導電層から、または前記第１の弾性支持材から前記長手方向軸に沿って、そして／または前記垂直軸に沿って伸びる１つ以上の非弾性支持材をさらに備える、請求項１〜８のいずれか一項に記載の装置。
【請求項１０】
前記第１の弾性支持材が前記身体部分の周辺に且つ／または上に配置された時点で前記第１の弾性支持材が適所にとどまるように、前記第１の弾性支持材は、綿などと類似の粗さをもって採用される表層組織を備え、そして／または前記第１の弾性支持材は、前記身体部分の皮膚に取り付けられるように構成され、そして／または前記第１の弾性支持材は、包帯または圧迫衣服であり、そして／または前記第１の弾性支持材長さは、弛緩した状態で、１５ｃｍと８５ｃｍとの間にあり、そして／または前記第１の弾性支持材長さは、その弛緩した状態に対して少なくとも２０％伸ばされることが可能であり、そして／または前記第１の弾性支持材長さは、その弛緩した状態に対して最高２５０％伸ばされることが可能である、請求項１〜９のいずれか一項に記載の装置。
【請求項１１】
前記２つ以上の導電層は、弛緩した状態で、前記弾性支持体長さに対して９０％未満、例えば７５％未満、例えば６０％未満、例えば５０％未満、例えば４０％未満、例えば３０％未満、例えば２０％未満、または例えば１０％未満である導電層長さを有し、そして／または前記２つ以上の導電層は、前記第１の弾性支持材が前記身体部分の周辺に且つ／または上に配置されるときに、前記導電層長さがその弛緩した状態に対して少なくとも２０％予め伸ばされるように、前記身体部分によって定められる導電層長さを有し、そして／または前記２つ以上の導電層は、前記垂直軸に沿って互いから分離される、請求項１〜１０のいずれか一項に記載の装置。
【請求項１２】
前記電気的特性は、さらに前記２つ以上の導電層の抵抗率であり、そして／または前記測定ユニットは、前記２つ以上の導電層に関連する電気的特性を測定するようにさらに構成され、前記電気的特性は温度および／または水分に関連する、請求項１〜１１のいずれか一項に記載の装置。
【請求項１３】
身体部分の周囲の測定結果を提供する方法であって、
身体部分の周囲の測定結果を提供するように構成される装置を提供するステップであって、前記装置は少なくとも第１の弾性支持材を備えるステップと、
第２の弾性支持材を提供するステップと、
前記身体部分の周辺に且つ／または上に前記第１の弾性支持材を配置するステップと、
前記身体部分の周辺に且つ／または上に前記第２の弾性支持材を配置するステップであって、前記第２の弾性支持材を配置するステップは、
第１の支持材が前記身体部分の周辺に配置され、それによって前記第２の弾性支持材が前記第１の支持材の周辺に且つ／または上に配置された後に、または
前記第１の支持材が前記身体部分の周辺に配置され、それによって前記第１の弾性支持材が第２の支持材の周辺に且つ／または上に配置される前に、または
前記第１の弾性支持材が前記第１の支持材の周辺に配置され、それによって前記第１の支持材および前記第２の支持材が互いに接続されると同時に
行われるステップと、
前記第１の弾性支持材および前記第２の弾性支持材が配置された後に、前記身体部分の周囲の測定結果をモニターするステップと、
を含む、方法。
【請求項１４】
前記身体部分の周囲の測定結果は、前記身体部分の周囲における変化である、請求項１３に記載の方法。
【請求項１５】
前記モニターするステップは、例えばコンピュータ、サーバ、または携帯端末によってデータ格納ユニットをモニターすることにより行われる、請求項１３〜１４のいずれか一項に記載の方法。